(57)【要約】      （修正有）【課題】段ボールで簡易に組立できると共に、強度的にも強く、しかも、コンパクトな簡易トイレの提供。【解決手段】簡易トイレＡは、 段ボールで形成され、外縁に立ち上がり壁１ａを有する底部１と、矩形形状の段ボールのフルートの方向に沿って折れ曲がり、前記フルートの方向が底部１に直交するように立設すると共に、底部１の立ち上がり壁１ａより外に出ないように且つ、前記矩形形状の段ボールの端部２ａと端部２ｂとが重なり合って環状に形成される胴部２と、段ボールで形成され、胴部２の上端面に当接し、略中央に開口部３ａを有し、外縁に垂下する壁３ｂを有する座部３と、開口部３ａを介して胴部２内に設けられ、汚物を収納する袋とを備え、袋の開口部縁部は、座部３の開口部３ａを介して胴部２の外に位置しているものである。【選択図】図３
0003113270.tif 000002
【実用新案登録請求の範囲】
【請求項１】
段ボールで形成され、外縁に立ち上がり壁を有する底部と、
矩形形状の段ボールのフルートの方向に沿って折れ曲がり、前記フルートの方向が前記底部に直交するように立設すると共に、前記底部の立ち上がり壁より外に出ないように且つ、前記矩形形状の段ボールの端部と端部とが重なり合って環状に形成される胴部と、
段ボールで形成され、前記胴部の上端面に当接し、略中央に開口部を有し、外縁に垂下する壁を有する座部と、
前記開口部を介して前記胴部内に設けられ、汚物を収納する袋とを備え、
前記袋の開口部縁部は、前記座部の開口部を介して前記胴部の外に位置していることを特徴とする簡易トイレ。
【請求項２】
袋の開口部は、座部の上面全体に亘って広げられ、前記座部の上面に前記袋の表側が位置していることを特徴とする請求項１記載の簡易トイレ。
【請求項３】
胴部の内方に位置する板状の内側押さえ板と、
底部の立ち上がり壁より前記底部の内方に向かい、前記底部に接着された板状の突出板と、
この突出板と前記内側押さえ板との間に形成される隙間に胴部の下端の側壁を位置させ、前記突出板と前記内側押さえ板とにより前記胴部の下端の側壁を挟持することを特徴とする請求項１記載の簡易トイレ。
【請求項４】
底部の形状は略多角形で、
胴部は、折れ曲がり自在で、
前記胴部は折り曲げられて、前記底部に収納され、
袋は前記底部に収納され、
座部の壁が前記底部の立ち上がり壁を覆うように被せられていることを特徴とする請求項１〜３記載の簡易トイレ。
【考案の詳細な説明】
【技術分野】
【０００１】
本考案は、簡易トイレに係り、特に、段ボールで簡易に組立できると共に、強度的にも強く、しかも、コンパクトな簡易トイレに関する。
【背景技術】
【０００２】
従来、直方体形状の箱と、汚物を収納する袋と、座部とを備えた簡易トイレがあり、簡易に使用できるものである（例えば、特許文献１参照）。
しかしなから、上記の簡易トイレにあっては、直方体形状の箱を使用するため、該箱が未使用時、例えば、地震、火災等の災害時のためのものとして、保管する際、嵩張ってしまうという問題点が生じた。
【０００３】
【特許文献１】特開２００５−４６３３９号公報
【考案の開示】
【考案が解決しようとする課題】
【０００４】
本考案は、前記した問題点を除去するようにした簡易トイレを提供することを目的としている。
【課題を解決するための手段】
【０００５】
前記した目的を達成するための請求項１記載の簡易トイレは、 段ボールで形成され、外縁に立ち上がり壁を有する底部と、矩形形状の段ボールのフルートの方向に沿って折れ曲がり、前記フルートの方向が前記底部に直交するように立設すると共に、前記底部の立ち上がり壁より外に出ないように且つ、前記矩形形状の段ボールの端部と端部とが重なり合って環状に形成される胴部と、段ボールで形成され、前記胴部の上端面に当接し、略中央に開口部を有し、外縁に垂下する壁を有する座部と、前記開口部を介して前記胴部内に設けられ、汚物を収納する袋とを備え、前記袋の開口部縁部は、前記座部の開口部を介して前記胴部の外に位置しているものである。
【０００６】
また、請求項２記載の簡易トイレは、請求項１記載の簡易トイレにおいて、袋の開口部は、座部の上面全体に亘って広げられ、前記座部の上面に前記袋の表側が位置しているものである。
【０００７】
また、請求項３記載の簡易トイレは、請求項１記載の簡易トイレにおいて、胴部の内方に位置する板状の内側押さえ板と、底部の立ち上がり壁より前記底部の内方に向かい、前記底部に接着された板状の突出板と、この突出板と前記内側押さえ板との間に形成される隙間に胴部の下端の側壁を位置させ、前記突出板と前記内側押さえ板とにより前記胴部の下端の側壁を挟持するものである。
【０００８】
また、請求項４記載の簡易トイレは、請求項１〜３記載の簡易トイレにおいて、底部の形状は略多角形で、胴部は、折れ曲がり自在で、前記胴部は折り曲げられて、前記底部に収納され、袋は前記底部に収納され、座部の壁が前記底部の立ち上がり壁を覆うように被せられているものである。
【考案の効果】
【０００９】
請求項１記載の簡易トイレによれば、胴部は、矩形形状の段ボールのフルートの方向に沿って折れ曲がり自在であるため、折り曲げることができる分、未使用時、コンパクトにすることができ、該胴部を底部に立設し、立設した前記胴部の上縁部に座部を、底部の立ち上がり壁と座部の外縁に垂下する壁により移動を規制し、座部の開口部を介して前記胴部内に汚物を収納する袋を設け、該袋の開口部縁部を、前記座部の開口部を介して前記胴部の外に位置させて簡易に組立できると共に、前記胴部のフルートの方向を前記底部に直交するように立設するため、強度的にも強い簡易トイレを得ることができる。
【００１０】
また、請求項２記載の簡易トイレによれば、袋の開口部は、座部の上面全体に亘って広げられ、前記座部の上面に前記袋の表側が位置しているため、使用に際し、座部が汚れるのを防止し、衛生さを保つことができる。
【００１１】
また、請求項３記載の簡易トイレによれば、胴部の内方に位置する板状の内側押さえ板と底部の立ち上がり壁とにより前記底部の内方に向かい、前記底部に接着された板状の突出板と、この突出板と前記内側押さえ板との間に形成される隙間に胴部の下端の側壁を位置させ、前記突出板と前記内側押さえ板とにより前記胴部の下端の側壁を挟持するため、胴部を簡易に支持することができる。
【００１２】
また、請求項４記載の簡易トイレによれば、底部の形状は略多角形で、胴部は、折れ曲がり自在で、前記胴部は折り曲げられて、前記底部に収納され、袋は前記底部に収納され、座部の壁が前記底部の立ち上がり壁を覆うように被せられているため、未使用時、簡易トイレをコンパクトにすることができる。
【考案を実施するための最良の形態】
【００１３】
本考案の一実施例の簡易トイレについて図面を参照して説明する。
図１乃至図５において、Ａは、簡易トイレで、簡易トイレＡは、段ボールで形成され、外縁に立ち上がり壁１ａを有する底部１と、矩形形状の段ボールのフルートの方向に沿って折れ曲がり、前記フルートの方向が底部１に直交するように立設すると共に、底部１の立ち上がり壁１ａより外に出ないように且つ、前記矩形形状の段ボールの端部２ａと端部２ｂとが重なり合って環状に形成される胴部２と、段ボールで形成され、胴部２の上端面に当接し、略中央に開口部３ａを有し、外縁に垂下する壁３ｂを有する座部３と、開口部３ａを介して胴部２内に設けられ、汚物を収納する袋４とを備えている。
【００１４】
底部１の形状は略多角形で、本実施例では六角形で、立ち上がり壁１ａは一部を重ね合わせ、固定材、例えば、ステッチ１ｂで形状を保つようにしてある。１ｃは、底部１に接着された板状の突出板で、底部１の立ち上がり壁１ａより底部１の内方に向かうように設けられている。５は、胴部２の内方に位置する板状の内側押さえ板である。突出板１ｃと内側押さえ板５との間に形成される隙間に胴部２の下端の側壁を位置させ、突出板１ｃと内側押さえ板５とにより胴部２の下端の側壁を挟持するようにして、胴部２を簡易に支持するようにしている。
【００１５】
胴部２は、折れ曲がり自在で、矩形形状の段ボールの端部２ａと端部２ｂとが重なり合って環状に形成されるが、望ましくは、胴部２の重ね合わせた部分を、固定材、例えば、ステッチ２ｃで形状を保つようにするのが良い。２ｄは、折れ曲がりの部位を示している。
【００１６】
座部３の重ね合わせた部分は、固定材、例えば、ステッチ３ｃで形状を保つように
してある。袋４の開口部縁部４ａは、座部３の開口部３ａを介して胴部２の外に位置し，望ましくは、図１に示すように、袋４の開口部は、座部３の上面全体に亘って広げられ、座部３の上面に袋４の表側が位置するのが良い。その結果、使用に際し、座部３が汚れるのを防止し、衛生さを保つことができる。
【００１７】
簡易トイレＡは、底部１の形状は略多角形で、胴部２は、折れ曲がり自在であるため、簡易トイレＡの未使用時、図４及び図５に示すように、胴部２は折り曲げられて、底部１に収納され、袋４は底部１に収納され、座部３の壁３ａが底部１の立ち上がり壁１ａを覆うように被せて、簡易トイレＡをコンパクトにすることができる。
【図面の簡単な説明】
【００１８】
【図１】図１は、本考案の一実施例である簡易トイレの概略的斜視図である。
【図２】図２は、図１の簡易トイレに袋を装着する前の状態を分解して示す概略的分解斜視図である。
【図３】図３は、図２の簡易トイレを分解して示す概略的分解斜視図である。
【図４】図４は、図１の簡易トイレの組立前の状態の概略的斜視図である。
【図５】図５は、図４の簡易トイレの収納状態の概略的斜視図である。
【符号の説明】
【００１９】
Ａ…簡易トイレ
１…底部
１ａ…立ち上がり壁
２…胴部
２ａ…端部
２ｂ…端部
３…座部
３ａ…壁
３ｂ…開口部
４…袋
４ａ…袋開口部縁部
【図１】
0003113270.tif 000003
【図２】
0003113270.tif 000004
【図３】
0003113270.tif 000005
【図４】
0003113270.tif 000006
【図５】
0003113270.tif 000007